(57)【要約】【課題】  風車を備える弾球遊技機において、風車の調整を不要としながらも、遊技球を左右ほぼ均等に振り分け、遊技者にとって公平な遊技を可能にする。また、モータなどで強制的に風車を移動させるものに比べて、構造を大幅に簡略化し、コストダウンを可能にする。【解決手段】  遊技球が発射される遊技盤面に、遊技球との接触に応じて回転する風車１９を備えたパチンコ遊技機１において、風車１９の支軸１９ｃを、遊技盤４に対して移動自在に設けると共に、風車１９に対する遊技球の接触に応じて従動的に移動させる。【選択図】        図４
2006271633.tif 000002
【特許請求の範囲】
【請求項１】
遊技球が発射される遊技盤面に、遊技球との接触に応じて回転する風車を備えた弾球遊技機において、
前記風車の支軸は、前記遊技盤に対して移動自在に設けられ、前記風車に対する遊技球の接触に応じて従動的に移動することを特徴とする弾球遊技機。
【請求項２】
前記支軸は、前記遊技盤に形成される長孔に挿入され、該長孔に沿って左右方向に移動することを特徴とする請求項１記載の弾球遊技機。
【請求項３】
前記支軸は、前記風車との一体的な回転に応じて前記長孔内を転動することを特徴とする請求項２記載の弾球遊技機。
【請求項４】
前記長孔は、中央部が高く、左右両端部が低い円弧形状であることを特徴とする請求項２又は３記載の弾球遊技機。
【請求項５】
前記長孔は、中央部が低く、左右両端部が高い円弧形状であることを特徴とする請求項２又は３記載の弾球遊技機。
【請求項６】
前記遊技盤面に構成される遊技球通路の下側又は上側に前記風車を配置するにあたり、前記支軸の移動幅を、前記遊技球通路の最小幅よりも小さくしたことを特徴とする請求項１〜５のいずれかに記載の弾球遊技機。
【請求項７】
前記風車を風車取付部材に取付けると共に、該風車取付部材を前記遊技盤に上下位置調整可能に取付けたことを特徴とする請求項１〜６のいずれかに記載の弾球遊技機。
【発明の詳細な説明】
【技術分野】
【０００１】
本発明は、遊技球が発射される遊技盤面に、遊技球との接触に応じて回転する風車を備えたパチンコ遊技機などの弾球遊技機に関する。
【背景技術】
【０００２】
一般に、パチンコ遊技機などの弾球遊技機は、遊技球が発射される遊技盤面に、遊技球との接触に応じて回転する風車を備えている。この種の風車は、遊技盤面に沿って落下する遊技球の動きに不規則な変化を与えるので、弾球遊技機本来の遊技性を維持するうえで極めて重要である。また、風車の支軸は、釘調整時の調整対象となっており、支軸の傾き方向や傾き角度の調整が行われているが、遊技球を左右均等に振り分けるような微妙な調整は、熟練した技術が要求される。
【０００３】
そこで、風車（支軸）を移動自在にした弾球遊技機が提案されている（例えば、特許文献１参照）。特許文献１に記載の弾球遊技機には、モータ動力で風車を移動させる機構が設けられており、遊技者が移動を停止して風車の位置を選択できるようにしてある。
【特許文献１】特開２００２−３５５３８５号公報
【発明の開示】
【発明が解決しようとする課題】
【０００４】
上記のように構成された特許文献１の弾球遊技機によれば、確かに風車の調整が不要になり、また、遊技者の好みで風車の位置を変更することが可能になるが、風車をモータ動力で強制的に移動させるので、構造の複雑化やコストアップを招来するという問題がある。また、遊技中は、風車の位置が固定されているので、風車による遊技球の挙動は、既存の弾球遊技機と同等であった。
【課題を解決するための手段】
【０００５】
本発明は、上記の目的を達成するために創作されたものであって、遊技球が発射される遊技盤面に、遊技球との接触に応じて回転する風車を備えた弾球遊技機において、前記風車の支軸は、前記遊技盤に対して移動自在に設けられ、前記風車に対する遊技球の接触に応じて従動的に移動することを特徴とする。このように構成すると、風車の微妙な調整を行わなくても、遊技球を左右ほぼ均等に振り分け、遊技者にとって公平な遊技が可能となる。しかも、風車の支軸は、従動的に移動するので、モータなどで強制的に移動させる場合に比べて、構造を簡略化できるだけでなく、大幅なコストダウンが可能になる。
また、前記支軸は、前記遊技盤に形成される長孔に挿入され、該長孔に沿って左右方向に移動することを特徴とする。このように構成すると、極めて簡単な構成で支軸を移動自在に支持することができる。
また、前記支軸は、前記風車との一体的な回転に応じて前記長孔内を転動することを特徴とする。このように構成すると、風車の回転に応じて支軸を積極的に移動させることができる。
また、前記長孔は、正面視で、中央部が高く、左右両端部が低い円弧形状であることを特徴とする。このように構成すると、風車の支軸を、長孔の左右両端部をホームポジションとして移動させることができる。
また、前記長孔は、正面視で、中央部が低く、左右両端部が高い円弧形状であることを特徴とする。このように構成すると、風車の支軸を、長孔の中央部をホームポジションとして移動させることができる。
また、前記遊技盤面に構成される遊技球通路の下側又は上側に前記風車を配置するにあたり、前記支軸の移動幅を、前記遊技球通路の最小幅よりも小さくしたことを特徴とする。このように構成すると、遊技球通路を通過する遊技球と風車の接触機会を増し、風車の移動を促進することができる。
また、前記風車を風車取付部材に取付けると共に、該風車取付部材を前記遊技盤に上下位置調整可能に取付けたことを特徴とする。このように構成すると、風車の上下位置調整が可能になるので、弾球遊技機の調整要素を増やし、遊技性に幅を持たせることができる。
【発明の効果】
【０００６】
本発明の弾球遊技機によれば、風車に対する遊技球の接触に応じて、風車の支軸を従動的に移動させることにより、風車の調整を不要にしながらも、遊技球を左右ほぼ均等に振り分け、遊技者にとって公平な遊技が可能となる。しかも、風車の支軸は、従動的に移動するので、モータなどで強制的に移動させる場合に比べて、構造を簡略化できるだけでなく、大幅なコストダウンが可能になる。
【発明を実施するための最良の形態】
【０００７】
［第一実施形態］
次に、本発明の実施形態を図面に沿って説明する。図１及び図２において、１はパチンコ遊技機であって、該パチンコ遊技機１は、パチンコ島に固定される外枠２に対して、開閉自在に取り付けられる。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００８】
パチンコ遊技機１の正面は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を発生するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、各種の制御基板とを備えている。
【０００９】
図３に示すように、遊技盤４には、始動口１４、入賞口１５、大入賞口１６、ゲート１７、アウト口１８、風車１９、遊技釘２０などが配置されており、遊技盤４に発射された遊技球は、風車１９や遊技釘２０によって各口１４〜１８に誘導される。遊技盤４の中央部には、液晶パネルからなる抽選図柄表示部２１が設けられ、その周りは、センター飾り２２によって囲まれている。
【００１０】
図４に示すように、風車１９は、ガラス面に沿う円盤部１９ａと、遊技球と接触する複数の羽根部１９ｂと、風車１９の回転中心となる支軸１９ｃとを備えて構成されており、遊技球との接触に応じて回転し、遊技球の動きに不規則な変化を与える。本発明は、風車１９の支軸１９ｃを、遊技盤４に対して移動自在に設けると共に、風車１９に対する遊技球の接触に応じて、支軸１９ｃを従動的に移動させる点に特徴がある。このようにすると、風車１９の微妙な調整を行わなくても、遊技球を左右ほぼ均等に振り分け、遊技者にとって公平な遊技が可能となる。しかも、風車１９の支軸１９ｃは、従動的に移動するので、モータなどで強制的に移動させる場合に比べて、構造を簡略化できるだけでなく、大幅なコストダウンが可能になる。
【００１１】
具体的に説明すると、風車１９の支軸１９ｃは、遊技盤４に左右方向を向いて形成される長孔４ａに挿入されており、長孔４ａに沿って左右方向に移動することができる。また、支軸１９ｃには、表裏一対の止め輪１９ｄが係着されており、これらの止め輪１９ｄによって、支軸１９ｃの抜け及び傾きが防止される。このようにすると、極めて簡単な構成で支軸１９ｃを移動自在に支持することができる。また、支軸１９ｃは、風車１９と一体的に回転することが好ましい。このようにすると、風車１９の回転に応じて支軸１９ｃが長孔４ａ内を転動するので、支軸１９ｃを積極的に移動させることが可能になる。
【００１２】
図５は、風車１９の作用を示している。例えば、図５の（Ａ）に示すように、支軸１９ｃが長孔４ａの中心よりも右側に位置する状態では、図５の（Ｂ）に示すように、遊技球との接触により風車１９が左回転し、遊技球は左側へ振分けられる。このとき、支軸１９ｃも左回転するので、長孔４ａ内を左方向に転動する。一方、図５の（Ｃ）に示すように、支軸１９ｃが長孔４ａの中心よりも左側に位置する状態では、図５の（Ｄ）に示すように、遊技球との接触により風車１９が右回転し、遊技球は右側へ振分けられる。このとき、支軸１９ｃも右回転するので、長孔４ａ内を右方向に転動する。そして、支軸１９ｃがこのような動きを繰り返すことにより、遊技球は左右ほぼ均等に振分けされることになる。
【００１３】
次に、風車１９の配置例について説明する。風車１９は、図６〜図８に示すように、遊技釘２０や役物（例えば、センター飾り２２）で形成される遊技球通路Ｔ１〜Ｔ３の下側又は上側に配置されることが多い。これらの位置に風車１９を配置する場合、支軸１９ｃの移動幅ｂ（長孔４ａの左右幅）は、遊技球通路Ｔ１〜Ｔ３の最小幅ａよりも小さくすることが好ましい。このようにすると、遊技球通路Ｔ１〜Ｔ３を通過する遊技球と風車１９の接触機会を増して、風車１９の移動を促進することができ、その結果、風車１９が左右いずれか一端に停止し続けるような不都合を回避できる。
【００１４】
叙述の如く構成された本実施形態によれば、遊技球が発射される遊技盤面に、遊技球との接触に応じて回転する風車１９を備えたパチンコ遊技機１において、風車１９の支軸１９ｃは、遊技盤４に対して移動自在に設けられ、風車１９に対する遊技球の接触に応じて従動的に移動するので、風車１９の微妙な調整を行わなくても、遊技球を左右ほぼ均等に振り分け、遊技者にとって公平な遊技が可能となる。しかも、風車１９の支軸１９ｃは、従動的に移動するので、モータなどで強制的に移動させる場合に比べて、構造を簡略化できるだけでなく、大幅なコストダウンが可能になる。
【００１５】
また、支軸１９ｃは、遊技盤４に形成される長孔４ａに挿入され、該長孔４ａに沿って左右方向に移動するので、極めて簡単な構成で支軸１９ｃを移動自在に支持することができる。しかも、支軸１９ｃは、風車１９との一体的な回転に応じて長孔４ａ内を転動するので、風車１９の回転に応じて支軸１９ｃを積極的に移動させることができる。
【００１６】
また、遊技盤面に構成される遊技球通路Ｔ１〜Ｔ３の下側又は上側に風車１９を配置するにあたり、支軸１９ｃの移動幅ｂを、遊技球通路Ｔ１〜Ｔ３の最小幅ａよりも小さくしたので、遊技球通路Ｔ１〜Ｔ３を通過する遊技球と風車１９の接触機会を増し、風車１９の移動を促進することができる。
【００１７】
［第二実施形態］
次に、本発明の第二実施形態について説明する。ただし、前記実施形態と共通の構成については、前記実施形態と同じ符号を付け、前記実施形態の説明を援用する。図９に示すように、第二実施形態は、支軸１９ｃを挿入する長孔４ａが正面視で円弧状に形成される点が第一実施形態と相違している。このようにすると、風車１９の移動範囲にホームポジションを規定し、該ホームポジションを基点として風車１９を移動させることができる。
【００１８】
例えば、図９の（Ａ）に示すように、中央部が高く、左右両端部が低い円弧形状にすると、長孔４ａの左右両端部がホームポジションになるので、遊技球と接触する毎に風車１９の位置が左右交互に切換り、遊技球を左右ほぼ均等に振り分けることが可能になる。また、図９の（Ｂ）に示すように、中央部が低く、左右両端部が高い円弧形状にすると、長孔４ａの中央部がホームポジションになるので、風車１９の回転方向が不規則となり、遊技球を左右ランダムに振り分けることが可能になる。
【００１９】
［第三実施形態］
次に、本発明の第三実施形態について説明する。図１０及び図１１に示すように、第三実施形態は、風車１９を風車取付部材２３に取付け、この風車取付部材２３を遊技盤４に上下位置調整可能に取付けた点が前記実施形態と相違している。このようにすると、風車１９の上下位置調整が可能になるので、パチンコ遊技機１の調整要素を増やし、遊技性に幅を持たせることができる。
【００２０】
図１０に示すように、風車取付部材２３は、風車１９の支軸１９ｃが移動自在に挿入される長孔２３ａを有すると共に、遊技盤４の取付孔４ｂに嵌合される複数の嵌合凸部２３ｂを有して構成される。一方、図１１に示すように、遊技盤４の取付孔４ｂは、上下方向に長い長孔形状や、複数の孔が上下方向に並ぶ形状を有しており、嵌合凸部２３ｂの嵌合位置を所定の上下範囲で選択できるようにしてある。これにより、風車取付部材２３の位置変更に応じて、風車１９の上下位置を調整することが可能になる。
【００２１】
［第四実施形態］
次に、本発明に係る第四実施形態について説明する。図１２に示すように、第四実施形態は、風車１９の支軸１９ｃを、回動部材２４、２５を介して移動自在に支持する点が前記実施形態と相違している。このようにすると、図１２の（Ａ）に示すように、振り子状の回動部材２４で風車１９を移動自在に支持したり、図１２の（Ｂ）に示すように、車輪状の回動部材２５で複数の風車１９を移動自在に支持することが可能になる。
【図面の簡単な説明】
【００２２】
【図１】パチンコ遊技機の正面図である。
【図２】パチンコ遊技機の背面図である。
【図３】遊技盤の正面図である。
【図４】（Ａ）は風車の正面図、（Ｂ）は風車取付部の水平断面図である。
【図５】風車の作用を示す説明図である。
【図６】風車の配置例１を示す遊技盤の要部正面図である。
【図７】風車の配置例２を示す遊技盤の要部正面図である。
【図８】風車の配置例３を示す遊技盤の要部正面図である。
【図９】（Ａ）及び（Ｂ）は第二実施形態に係る風車の正面図である。
【図１０】第三実施形態に係る風車取付部材を示す斜視図である。
【図１１】（Ａ）及び（Ｂ）は第三実施形態に係る遊技盤の要部正面図である。
【図１２】（Ａ）及び（Ｂ）は第四実施形態に係る風車の正面図である。
【符号の説明】
【００２３】
１      パチンコ遊技機
４      遊技盤
４ａ    長孔
４ｂ    取付孔
１９    風車
１９ａ  円盤部
１９ｂ  羽根部
１９ｃ  支軸
１９ｄ  止め輪
２０    遊技釘
２１    抽選図柄表示部
２２    センター飾り
２３    風車取付部材
２３ａ  長孔
２３ｂ  嵌合凸部
２４    回動部材
２５    回動部材
Ｔ１    遊技球通路
Ｔ２    遊技球通路
Ｔ３    遊技球通路
【図１】
2006271633.tif 000003
【図２】
2006271633.tif 000004
【図３】
2006271633.tif 000005
【図４】
2006271633.tif 000006
【図５】
2006271633.tif 000007
【図６】
2006271633.tif 000008
【図７】
2006271633.tif 000009
【図８】
2006271633.tif 000010
【図９】
2006271633.tif 000011
【図１０】
2006271633.tif 000012
【図１１】
2006271633.tif 000013
【図１２】
2006271633.tif 000014